(57)【要約】 【課題】製造時において異なる機能のモジュールを容易に取り付けることができ、かつ該モジュールを柔軟に選択して調整でき、後続の工程で機能の更新、或いは強化ができるとともに、外観の一致した完全性が得られ、実際に応用する場合に使用上の利便性が得られるスマートタイプのホームセキュリティ健康チェック装置を提供する。【解決手段】電力の入力によって起動するメイン制御ボードを内設し、かつ該メイン制御ボードに、ターゲットの映像を得て個人の特定に供する撮像モジュールと、リモートコントロールをサポートし、該メイン制御ボードに伝送してデフォルト設定からの連動機能を進行させる通信モジュールと、該メイン制御ボードとの組み合わせによって家電を制御する音声識別モジュールと、ターゲットと使用環境とのデータを検知する検知モジュールと、該検知モジュールとの組み合わせによって表示を行う表示モジュールと、が接続し、該検知モジュールが、血糖値検知モジュールと、睡眠モジュールと、心拍モジュールと、を内設し、かつ電磁波エミッターと組み合わせてターゲットの生理パラメータを非接触式で検知し、該メイン制御ボードに伝送して対応する処理を行う。【選択図】 図１
2020515298.tif 000002
【特許請求の範囲】
【請求項１】
電力の入力によって起動するメイン制御ボードを内設し、かつ該メイン制御ボードに、ターゲットの映像を得て個人の特定に供する撮像モジュールと、リモートコントロールをサポートし、該メイン制御ボードに伝送してデフォルト設定からの連動機能を進行させる通信モジュールと、該メイン制御ボードとの組み合わせによって家電を制御する音声識別モジュールと、ターゲットと使用環境とのデータを検知する検知モジュールと、該検知モジュールとの組み合わせによって表示を行う表示モジュールと、が接続し、
該検知モジュールが、血糖値検知モジュールと、睡眠モジュールと、心拍モジュールと、を内設し、かつ電磁波エミッターと組み合わせてターゲットの生理パラメータを非接触式で検知し、該メイン制御ボードに伝送して対応する処理を行う
ことを特徴とするスマートタイプのホームセキュリティ健康チェック装置。
【請求項２】
前記検知モジュールが、血糖値データベースと、睡眠データベースと、心拍データベースとを具え、前記電磁波エミッターが異なる周波数の電磁波をターゲットに放射して、それぞれ異なる強度の信号を得て対比と調整とを行い対応する該データベースに保存するとともに、該メイン制御ボードにリターンする
ことを特徴とする請求項１に記載のスマートタイプのホームセキュリティ健康チェック装置。
【請求項３】
前記メイン制御ボードが、接続するそれぞれのモジュールにコマンドを伝送する中央演算処理装置と、該血糖値検知モジュールと該、睡眠モジュールと該心拍モジュールとからのデータを分析し、判断する人工知能と、及び外部からの電力の入力を受けるか、または内部に電池を具えて全体的な作動の安定を保持する電力供給モジュールとを具える
ことを特徴とする請求項１に記載のスマートタイプのホームセキュリティ健康チェック装置。
【請求項４】
前記表示モジュールが、前記健康チェック装置に内設されて該検知モジュールに電気的に接続するターゲット生理信号表示ランプと、スモークアラームランプと、空気質量表示ランプと、ＩＰ設定表示ランプとを具え、かつ該ターゲット生理信号表示ランプと、該スモークアラームランプと、該空気質量表示ランプと、該ＩＰ設定表示ランプとが、単結晶ＬＥＤか、多結晶基板ＬＥＤか、もしくは混色発光のＬＥＤを用いて発光する
ことを特徴とする請求項１に記載のスマートタイプのホームセキュリティ健康チェック装置。
【請求項５】
前記健康チェック装置が、少なくとも１つか、または１つ以上のＬＥＤを具え、かつ該ＬＥＤが該検知モジュールの一方の側に分布して設けられ、該健康チェック装置に照明の機能を付与する
ことを特徴とする請求項４に記載のスマートタイプのホームセキュリティ健康チェック装置。
【請求項６】
前記撮像モジュールと検知モジュールとの数を選択的に増減させて、少なくとも１つか、又は１つ以上設ける
ことを特徴とする請求項１に記載のスマートタイプのホームセキュリティ健康チェック装置。
【請求項７】
前記検知モジュールが、前記健康チェック装置に内設され、かつ該メイン制御ボードに接続して対応する機能を提供するとともに、選択的に増減させて設ける生物識別モジュールと、温湿度検知モジュールと、スモーク検知モジュールと、空気検知モジュールと、気体検知モジュールと、を更に具える
ことを特徴とする請求項１に記載のスマートタイプのホームセキュリティ健康チェック装置。
【請求項８】
前記メイン制御ボードと、前記検知モジュールと、前記撮像モジュールとの数を選択的に増減させて、少なくとも１つか、又は１つ以上設ける
ことを特徴とする請求項１に記載のスマートタイプのホームセキュリティ健康チェック装置。
【請求項９】
前記検知モジュールに、選択的に数を増減させて、少なくとも１つか、又は１つ以上設ける血糖値検知モジュールと、睡眠検知モジュールと、心拍モジュールと内設する
ことを特徴とする請求項１に記載のスマートタイプのホームセキュリティ健康チェック装置。
【発明の詳細な説明】
【技術分野】
【０００１】
この発明は、セキュリティ装置に関し、特に、家庭の室内環境の各ターゲットに対して検知モジュールを介して非接触式の検知を行ない、判断と適応の動作を行い通信モジュールを介して各家電にリンクすることで、健康状態を検知し、使用範囲及び機能の応用範囲を広げるスマートタイプのホームセキュリティ健康チェック装置に関する。
【背景技術】
【０００２】
従来のスマートホーム（Ｓｍａｒｔ  Ｈｏｍｅ）タイプのセキュリティシステムは、通常制御用の中央メインサーバーと、複数の検知手段とを含んでなり、予め設定した制御プログラムを介して接続する同様のブランドのスマートタイプの家電に対応する。したがって、本来設定されたスマートタイプの家電以外のその他ブランドの家電、もしくは古い型の産品はユーザーの必要に応じて随時用いることができず、メーカーの指定するブランドの家電を購入することしかできない。係るシステムを使用することで少なからぬ金額の支出を経験することになる。
【０００３】
スマートホームタイプのセキュリティシステムにおける上述の応用性の低さと、費用が高くつくという問題を解決するために、比較的簡易な制御手段が開発された。これは、例えばＷＩＦＩ（登録商標）、Ｚｉｇｂｅｅ(登録商標）、Ｂｌｕｅｔｏｏｔｈ（登録商標）など既存のリンク技術を介して関連するスマートタイプの家電とリンクし、該制御手段に内設された検知手段と組み合わせ使用環境と人とを検知することで、異なるブランドの製品を支持できないという応用性の問題を解決するものであって、ユーザーは既存の家電であってもスマートホームタイプのセキュリティ装置の利便性が得られる。
【０００４】
しかしながら、スマートホームタイプのセキュリティ装置は、前述するようにリンクする家電を起動する機能以外に、目下ユーザーの身体の状態を検知して身体機能を判断するとともに、家電の制御を適用させる機能を支持することができるまでに発展している。但し、通常は、別途ウェアラブルデバイスの検知手段を必要とするか、スマートフォンとリンクして使用する。係る方式は、子供であっても大人であっても、または年長者にとっても、ウェアラブルデバイスは容易に遺失したり、損傷したりするデバイスである。そこで、スマートホームタイプのセキュリティ装置において、検知機能、応用範囲、及びリンク制御の利便性が得られる構造の改良が求められている。
【発明の概要】
【発明が解決しようとする課題】
【０００５】
この発明は、製造時において異なる機能のモジュールを容易に取り付けることができ、かつ該モジュールを柔軟に選択して調整でき、後続の工程で機能の更新、或いは強化ができるとともに、外観の一致した完全性が得られ、実際に応用する場合に使用上の利便性が得られるスマートタイプのホームセキュリティ健康チェック装置を提供することを課題とする。
この発明によるスマートタイプのホームセキュリティ健康チェック装置は、１、又は１以上のターゲットと家電に対してデフォルト設定から動作を行うことができ、電力の入力によって起動するメイン制御ボードを内設し、かつ該メイン制御ボードに、ターゲットの映像を得て個人の特定に供する撮像モジュールと、リモートコントロールをサポートし、該メイン制御ボードに伝送してデフォルト設定からの連動機能を進行させる通信モジュールと、該メイン制御ボードとの組み合わせによって家電を制御する音声識別モジュールと、ターゲットと使用環境とのデータを検知する検知モジュールと、該検知モジュールとの組み合わせによって表示を行う表示モジュールと、が接続し、該検知モジュールが、血糖値検知モジュールと、睡眠モジュールと、心拍モジュールと、を内設し、かつ電磁波エミッターと組み合わせてターゲットの生理パラメータを非接触式で検知し、該メイン制御ボードに伝送して対応する処理を行う。
【０００６】
上述する健康チェックは、電磁波エミッターから異なる周波数の電磁波をターゲットに放射して非接触方式でターゲットの血糖値、睡眠状態、心拍数に関連するデータを得て、独立したデータベースに保存するとともに、メイン制御ボードと人工知能とによって分析し、異常状態があれば、検知した情報を診療所、又は病院に送信し、さらにリンクする家電を作動させて適宜な自動調整を行ない、また、使用環境とターゲットとに大きな異状が出現すれば対応する処理を行う。即ち、一般の年長者や幼児などケアを必要とする家庭に対して、既存の技術の長所とこの発明によるスマートタイプのホームセキュリティ健康チェック装置の検知範囲と知能の応用組み合わせることで、更なる実用性が得られる。
【図面の簡単な説明】
【０００７】
【図１】この発明によるスマートタイプのホームセキュリティ健康チェック装置を示した斜視図である。
【図２】図１に開示するスマートタイプのホームセキュリティ健康チェック装置の底面図である。
【図３】図１に開示するスマートタイプのホームセキュリティ健康チェック装置の断面構造を示した説明図である。
【図４】この発明におけるモジュールなどの構成部材の接続関係を示したブロック図である。
【図５】第２の実施の形態によるスマートタイプのホームセキュリティ健康チェック装置の外観を示した説明図である。
【図６】第３の実施の形態によるスマートタイプのホームセキュリティ健康チェック装置の外観を示した斜視図である。
【図７】第４の実施の形態によるスマートタイプのホームセキュリティ健康チェック装置の外観を示した斜視図である。
【図８】第５の実施の形態によるスマートタイプのホームセキュリティ健康チェック装置の外観を示した斜視図である。
【図９】第６の実施の形態によるスマートタイプのホームセキュリティ健康チェック装置の外観を示した斜視図である。
【図１０】第７の実施の形態によるスマートタイプのホームセキュリティ健康チェック装置の外観を示した斜視図である。
【図１１】第８の実施の形態によるスマートタイプのホームセキュリティ健康チェック装置の構造を示した説明図である。
【図１２】第９の実施の形態によるスマートタイプのホームセキュリティ健康チェック装置の構造を示した説明図である。
【図１３】第１０の実施の形態によるスマートタイプのホームセキュリティ健康チェック装置の構造を示した説明図である。
【図１４】第１１の実施の形態によるスマートタイプのホームセキュリティ健康チェック装置の構造を示した説明図である。
【図１５】第１１の実施例におけるモジュールなどの構成部材の接続関係を示したブロック図である。
【図１６】第１２の実施の形態によるスマートタイプのホームセキュリティ健康チェック装置の構造を示した説明図である。
【発明を実施するための形態】
【実施例】
【０００８】
この発明の特徴が理解できるように、好ましい実施の形態を挙げ、図面を参照にして以下に詳述する。この発明はスマートタイプのホームセキュリティ健康チェック装置を提供するものであって、図１から図４に開示するように、健康チェック装置１は、少なくとも１、もしくは１以上のターゲット２に対して、また周辺の関連する家電３に対して予め設定された行動を実行する。健康チェック装置１の内部には、検知モジュール１４を設け、かつ該検知モジュール１４の外側に１、もしくは１以上の照明に応用するＬＥＤ１０を設ける。この発明におけるＬＥＤ１０は単色ＬＥＤであってもよく、もしくは色温度を混合し調整する機能を有したものであってもよく、また単一の暖光色か、単一の冷光か、又は暖光色と冷光とを混合して構成してもよく、特に制限は設けない。
【０００９】
健康チェック装置１の外観は、一般の通常よく見かける電球を螺着する構造に設計されていて、内部には、外部からの電力の入力を受けるか、または内部に電池を具えて全体的な作動の安定を保持する電力供給モジュール１１２と、電源から入力される電力で作動するメイン制御ボード１１を設ける。メイン制御ボード１１には、撮像モジュール１２と、通信モジュール１３と、検知モジュール１４と、表示モジュール１５とが電気的に接続する。撮像モジュール１２は、主にターゲット２の映像を得て個人の特定に供するとともに、録画の記録に供し、ダブルレンズ１２１であってもよく、もしくは魚眼レンズ１２２に交換することで監視範囲を拡張して最大化することができ、関連する連動機能の正常な作動を確保することができる。撮像モジュール１２は画像の保存に供するメモリカードスロット１２３に接続する。
【００１０】
通信モジュール１３は、リモートコントロールをサポートし、メイン制御ボード１１に伝送してデフォル設定からの連動機能を進行させる。また、通信モジュール１３にはマイクロフォン１３２１とスピーカー１３２２とが接続するとともに、さらに無線制御モジュール１３１を含む。無線制御モジュール１３１は、例えばＷＩＦＩ（登録商標）、Ｂｌｕｅｔｏｏｔｈ（登録商標）、Ｚ-ＷＡＶＥ（登録商標）、Ｚｉｇｂｅｅ（登録商標）などの関連する通信技術、もしくはその他通信技術であってもよく、複数の家電３などのデバイスにリンクするために用いる。もしくは、スマートタイプのモバイル装置（タブレットＰＣ、スマートフォン、モバイル又はウェアブルデバイス）、パーソナルコンピュータ、車載情報通信システム（ｉｎーＶｅｈｉｃｌｅ  Ｉｎｆｏｔａｉｎｍｅｎｔ  Ｓｙｓｔｅｍ、ＩＶＩシステムと略称する）などのリモート管理を行うことができるか、家電３を操作できるデバイスであってもよい。上述する家電３が古いバージョンのものであれば、無線リンク機能を有する電力配線コードか、コンセントを用いてリンク機能を得ることができる。係る配線器具は市場で常に見かけるものであるので、ここでは詳述しない。さらにターゲット２の音声を受信する音声識別モジュール１３２を具え、集音した音声をコマンドに変換してメイン制御ボード１１と、赤外線制御モジュール１３３に伝送する。また、音声認識モジュール１３２は、音声制御の目的を達成するために、集音に供するマイクロフォン１３２１と、効果音を放つスピーカー１３２２とに接続し、音声を信号に変換して赤外線送受信器を介してコマンドをそれぞれの家電３に送信して制御の目的を達成する。
【００１１】
検知モジュール１４は、ターゲット２と使用環境のデータを検知するために用い、かつ表示モジュール１５と組み合わせて用い、警告、又は表示を行う。検知モジュール１４は、生物識別モジュール１４１を含む。生物識別モジュール１４１はマイクロ波を利用しターゲット２の体型の特徴を検知して個人を特定し、かつランプを起動する。通常はドップラー・レーダー（Ｄｏｐｐｌｅｒ  ｒａｄａｒ）を用いて呼吸信号の内の高周波帯域の移動信号を検知する。即ち、呼吸信号を検知し、かつ移動信号に基づきターゲット２が一定の時間内に移動してことを発見した場合、ターゲット２が異常状態にあると判定し、定在波解析を利用して検知距離を拡大するとともに、高密度で異常を検知する。該検知によって得た情報はメイン制御ボード１１にリターンし、パーソナルヘルスレコーダ（Ｐｅｒｓｏｎａｌ  Ｈｅａｌｔｈ  Ｒｅｃｏｒｄ、ＰＨＤと略称する）に記録する。異常状態と映像とを組み合わせることができれば、検知した情報を病院に送信してスマートメディカルホーム（Ｓｍａｒｔ  Ｍｅｄｉｃａｌ  Ｈｏｍｅ、ＳＭＨと略称する）と遠隔医療（Ｔｅｌｅｍｅｄｉｃｉｎｅ）とを実施する。平時はリモートコントロールで家庭の構成員の内の老人又は子供の監視に使用する。
【００１２】
また、検知モジュール１４は温湿度検知モジュール１４２を含む。温湿度検知モジュール１４２は、使用環境の温度を検知して得たデータをメイン制御ボード１１に伝送する。この場合、温湿度があらかじめ設定した標準値より高いか、又は低ければ、関連する家電３を起動して作動させる。
【００１３】
また、検知モジュール１４は、スモーク検知モジュール１４３を含む。スモーク検知モジュール１４３は、使用環境において煙が標準値を超えていないか検知して火災などの状況の発生を判断するとともに、スモーク検知モジュール１４３はメイン制御ボード１１と電気的に接続して信号を伝送する。
【００１４】
また、検知モジュール１４は空気検知モジュール１４４を含む。空気検知モジュール１４４は、空気中の粒子状物資を監視するために用い、メイン制御ボード１１に接続し、表示モジュール１５の空気質量表示ランプ１５３を点灯させることで目下の空気の質量状態を表示する。例えば、一般的で正常な範囲にあれば青色、ある程度数詞が高くなれば黄色、標準値を超えれば赤色の表示を行う。表示するランプの色は、常時見かけるＬＥＤ１０の混色する発光技術で調整するか、又はこれに対応するスマートフォンのアプリケーションソフトウェア（Ａｐｐｌｉｃａｔｉｏｎ、ＡＰＰと略称する）を用いて調整してもよく、上述する色に限定する必要はない。また、単結晶基盤ＬＥＤ、多結晶基板ＬＥＤ関連技術によって表示を行ってもよく、実施例に開示する技術に制限することはない。
【００１５】
また、検知モジュール１４は、気体検知モジュール１４８を含み、使用環境にガス、又は人体に有害なその他気体が含まれるか検知し、信号をメイン制御ボード１１にリターンして対応する処置を実行する。例えば、家電３をオフにし、情報をユーザーのスマートフォンなどに伝送するなどの方法で予防と保護の効果を達成する。
【００１６】
また、検知モジュール１４は、別途血糖値検知モジュール１４５と、睡眠検知モジュール１４６と、心拍検知モジュール１４７とを含む。これら３つのモジュールは、それぞれ独立して血糖値データベース１４５１と、睡眠データベース１４６１と、心拍データベース１４７１とに対応し、検知したデータはそれぞれの対応するデータベースにユーザーデータとして保存し、かつメイン制御ボード１１にリターンして人工知能（Ａｒｉｔｉｆｉｃａｌ  Ｉｎｔｅｌｌｉｇｅｎｃｅ、ＡＩと略称する）によって演算、識別を行ない、さらに分析と保存とを行なう。ここから検知の正確性を高める。血糖値検知モジュール１４５と、睡眠検知モジュール１４６と、心拍検知モジュール１４７とは、いずれも超広帯域無線（Ｕｌｔｒａ  Ｗｉｄｅｂａｎｄ、ＵＷＢと略称する）を採用し、周波数の発射強度の異なる電磁波エミッター１４９を利用して人に発射した反射波のデータを計算し、異なるユーザーのそれぞれ特有のデータを得て、各種類のデータベースに保存する。また、ＵＷＢ技術のスペクトル拡散特性は、その他無線周波数（ＲＦ）システムと共存することができ、互いに観干渉するという問題が起きなく、実施に応用した場合、死角のない検知範囲を達成する。検知モジュール１４に内設した複数のモジュールの接続を介し、かつメイン制御ボード１１の中央演算処理装置１１１と人工知能１１１１とによる分類処理の後、異なるユーザーにそれぞれ専用の方式を構築することができる。よって、使用上さらに便利である。
【００１７】
また、この発明における表示モジュール１５は、個別のターゲット２に対して生理状態が正常か、異常かを判断して表示するターゲット生理信号表示ランプ１５１を含み、生物識別モジュール１４１と、血糖値検知モジュール１４５と、睡眠検知モジュール１４６と、心拍検知モジュール１４７とがメイン制御ボード１１に送信した情報を判断する。ターゲット２は使用環境における異なる年齢層（幼児、成人、老人）のユーザーであるか、又はペットであってもよい。
【００１８】
また、表示モジュール１５は、スモーク検知モジュール１４３がメイン制御ボードにリターンした信号によって表示を行うスモークアラームランプ１５２を含む。
【００１９】
また、表示モジュール１５は、空気検知モジュール１４４が検知した使用環境の空気の質量によって表示を行う空気質量表示ランプ１５３を含む。
【００２０】
また、表示モジュール１５は、システムのリモートコントロールと、それぞれの機能、又は設定が正常であるか表示するＩＰ表示ランプ１５４を含む。
【００２１】
上述するそれぞれのランプは、いずれも健康チェック装置１に内設され、ＬＥＤを配置し、メイン制御ボード１１がスマートフォンか、コンピュータのリモートコントロールによって表示する色を調整する。よって、従来の単一の色の表示に比して、さらに識別の効果を具える。
【００２２】
この発明における通信モジュール１３は、無線制御モジュール１３１と、音声識別モジュール１３２と、赤外線制御モジュール１３３とを介してメイン制御ボード１１内の人工知能１１１１が予め認識したターゲット２の平常の状態で出力したコマンドを伝送し、先に関連するコマンドを準備するか、又は先に関連する家電を起動して予めスタンバイ状態にする。よって、リンクする家電の運用に高感度の反応が得られる。
【００２３】
図２に開示するように、この発明における生物認識モジュール１４１と、血糖値検知モジュール１４５と、睡眠検知モジュール１４６と、心拍検知モジュール１４７とは、いずれも異なる強度の電磁波エミッター１４９によって検知を行なう。よって、隠蔽式の設計にすることができ、好ましい外観が得られるとともに、部品が外部からの影響を受けないよう保護することもできる。
【００２４】
図３に開示するように、この発明におけるスピーカー１３２２は、検知モジュール14の背面側に設けることによって、占める空間を効率よく縮減することができ、かつ検知モジュール１４との間に所定の厚さの壁を形成することで検知する場合に発生する互いの干渉を防ぐことができる。
【００２５】
図５から図８に、この発明の第２から第５の実施の形態を開示する。これら実施の形態は、シャンデリア態様の構造を有し、中央本体と、延伸するランプセットとによってなる。主にＬＥＤ１０と、撮像モジュール１２と、検知モジュール１４と、表示モジュール１５とのそれぞれのモジュールの位置互いに変更させる。その目的と機能とは、前述する図４のブロック図に開示した作動のプロセスと同様である。ただ、位置を変更することによって、異なるランプセットを設けただけである。図７、図８に開示するように、ＬＥＤ１０を検知モジュール１４の外側であって、図１の開示とは異なる検知モジュール１４の外側の位置に設けて、ＬＥＤ１０を設ける位置で設計に合わせて調整する。但し、これらの内に限定しない。また、図９に開示するように、第２から第５の実施の形態もおけるシャンデリアは、天井に取り付ける扇風機に変更してもよい。また、図１０から図１３に開示するように、テーブルランプ、ダウンライト、壁掛けライト、蛍光灯フラットパネルライトなどの異なる種類のランプセットに設けても正常な作動が得られる。
【００２６】
この発明における健康チェック装置１は、単純に検知用として用いるか、照明用のＬＥＤ１０を配置するか、殺菌機能を有するＵＶ−ＬＥＤ１０１を配置するか、制限はしない。よって、必ずしも照明器具としてのデザインを施す必要はない。また、健康チェック装置１に内設するメイン制御ボード１１、赤外線制御モジュール１３３は、実際に製造する場合の仕様、様式の違いに合わせ、別々にするか、又は組み合わせて１つ、又は１つ以上の方式で構成する。図１４から図１６に開示するように、シーリングライト、またはテーブルライトなどに類似した様式に設計し、但し前述する各モジュールの検知機能を持たせてもよい。これは設計上の簡易な変化であるので詳細な説明はしない。前述するＵＶ―ＬＥＤ１０１は、波長の比較的短い紫外線−Ｃによって実施する。係る技術は日常よく見かける成熟した技術であって、検知モジュール１４内部の関連する８種類のモジュールも製造時のニーズに合わせて増減することができ、固定的な種類に限定しない。
【００２７】
以上をまとめると、この発明によるスマートタイプのホームセキュリティ健康チェック装置は、内部に複数種類の検知モジュール１４を向けることによって、検知の制度を大幅に高めることができるのみならず、非接触式の検知方式でターゲット３の生理状態を長時間検知し、異状を予防することができる。しかも、通信モジュール１３によってそれぞれの家電３へのリンクが便利であって、メイン制御ボード１１に設けた中央演算処理装置１１１と人工知能１１１とによって、さらに一歩進んで家電とのリンクの反応感度を高めることができ、スマートホーム（Ｓｍａｒｔ  Ｈｏｍｅ）の更に豊富な応用性と実用性とが得られる。
【符号の説明】
【００２８】
１    健康チェック装置
１０    ＬＥＤ
１０１    ＵＶ−ＬＥＤ
１１    メイン制御ボード
１１１    中央演算処理装置
１１１１    人工知能
１１２    電力供給モジュール
１２    撮像モジュール
１２１    ダブルレンズ
１２２    魚眼レンズ
１２３    メモリカードスロット
１３    通信モジュール
１３１    無線制御モジュール
１３２    音声識別モジュール
１３２１    マイクロフォン
１３２２    スピーカー
１３３    赤外線制御モジュール
１４    検知モジュール
１４１    生物識別モジュール
１４２    温湿度検知モジュール
１４３    スモーク検知モジュール
１４４    空気検知モジュール
１４５    血糖値検知モジュール
１４５１    血糖値データベース
１４６    睡眠検知モジュール
１４６１    睡眠データベース
１４７    心拍検知モジュール
１４７１    心拍データベース
１４８    気体検知モジュール  
１４９    電磁波エミッター
１５    表示モジュール
１５１    ターゲット生理信号表示ランプ
１５２    スモークアラームランプ
１５３    空気質量表示ランプ
１５４    ＩＰ設定表示ランプ
２    ターゲット
３    家電    
【図１】
2020515298.tif 000003
【図２】
2020515298.tif 000004
【図３】
2020515298.tif 000005
【図４】
2020515298.tif 000006
【図５】
2020515298.tif 000007
【図６】
2020515298.tif 000008
【図７】
2020515298.tif 000009
【図８】
2020515298.tif 000010
【図９】
2020515298.tif 000011
【図１０】
2020515298.tif 000012
【図１１】
2020515298.tif 000013
【図１２】
2020515298.tif 000014
【図１３】
2020515298.tif 000015
【図１４】
2020515298.tif 000016
【図１５】
2020515298.tif 000017
【図１６】
2020515298.tif 000018
【国際調査報告】
2020515298.tif 000019
2020515298.tif 000020
2020515298.tif 000021
2020515298.tif 000022